【手続補正書】
【提出日】令和2年4月16日(2020.4.16)
【手続補正１】
【補正対象書類名】明細書
【補正対象項目名】０１３９
【補正方法】変更
【補正の内容】
【０１３９】
当然ながら、当業者であれば、特定の要件や偶発的な要件を満足するために、例えば、単一のポインタにより係合される単一の複数の停止位置を、前記ケーブル巻取りブッシュが実行可能である全回転が、３６０°に当該ケーブル巻取りブッシュの前記第１の角度方向位置から第２の角度方向位置へと移行するための前記インデクシング角度を足したものとなるように設けるといった様々な変更や変形を前述した本発明に施すことができ、これら変更や変形の全ては添付の特許請求の範囲により定まる本発明の保護範囲に包含される。
以下、本発明に含まれる態様を記す。
〔態様１〕自転車ギアシフト装置の制御ケーブルの作動装置（１０）であって、
−自転車のハンドルバーに固定するように構成されたケーシング（１１）と、
−前記ケーシング（１１）内において、第１の角度方向（Ａ）に第１の角度方向位置と最後の角度方向位置との間で且つ第２の角度方向（Ｂ）に前記最後の角度方向位置と前記第１の角度方向位置との間で回転軸心（Ｘ）回りに角度方向に回転可能に取り付けられたケーブル巻取りブッシュ（１３）と、
−前記ケーシング内において前記回転軸心（Ｘ）回りに回転可能に取り付けられた回転部材（１４）および前記ケーシング（１１）内において回転不能に取り付けられた固定部材（１８）であって、当該回転部材（１４）及び当該固定部材（１８）のうちの一方に、他方の部材に形成された留めトラック（１９）と係合した少なくとも１つの第１のポインタ（１５）が設けられている、回転部材（１４）および固定部材（１８）と、
を備え、
−前記留めトラック（１９）が、閉ループ経路に沿って延びており、かつ、前記ポインタ（１５）により順次係合可能である少なくとも１つの第１の複数の停止位置（２０）を有しており、前記ケーブル巻取りブッシュ（１３）は、前記ポインタ（１５）がある停止位置から隣りの停止位置へと移行すると、ある角度方向位置から隣りの角度方向位置へと移行し、
−それぞれの停止位置は、隣りの停止位置から、それぞれのインデクシング角度（Ｃ）で角度方向に離間しており、それぞれのインデクシング角度（Ｃ）が、前記ケーブル巻取りブッシュ（１３）の、当該インデクシング角度（Ｃ）に等しい大きさの回転に対応しており、
−前記ケーブル巻取りブッシュ（１３）の前記第１の角度方向位置を決める第１の停止位置（２０ａ）は、次の停止位置（２０ｂ）から、前記ケーブル巻取りブッシュ（１３）を最後から２番目の角度方向位置から前記最後の角度方向位置へと回転させるのに必要な前記インデクシング角度（Ｃ）に等しいインデクシング角度（Ｃ）で角度方向に離間している、作動装置（１０）。
〔態様２〕態様１に記載の装置（１０）において、２つの連続する停止位置間の前記インデクシング角度（Ｃ）が、互いに異なる、装置（１０）。
〔態様３〕態様１または２に記載の装置（１０）において、２つの連続する停止位置間の前記インデクシング角度（Ｃ）が、前記第１の停止位置（２０ａ）の後、一様に増加する、装置（１０）。
〔態様４〕態様１から３のいずれか一態様に記載の装置（１０）において、
−少なくとも１つのポインタ（１５）が設けられた前記回転部材（１４）が、前記第１のポインタ（１５）から角度方向に１８０°離間した第２のポインタ（１６）を含み、
−前記留めトラック（１９）が、前記第１の複数の停止位置（２０）における停止位置と同一で且つ一つ一つ当該停止位置と直径方向に対向している第２の複数の停止位置（２１）を有しており、
−前記ケーブル巻取りブッシュ（１３）は、それぞれのポインタ（１５，１６）がある停止位置から隣の停止位置への同時の移行をフォローして、ある角度方向位置から隣の角度方向位置へと移行し、
−前記第１の及び前記第２の複数の停止位置（２０，２１）におけるそれぞれの停止位置は、隣の停止位置から、それぞれのインデクシング角度（Ｃ）で角度方向に離間しており、
−前記第１の及び前記第２の複数の停止位置（２０，２１）のうちの、前記ケーブル巻取りブッシュ（１３）の前記第１の角度方向位置を決める第１の停止位置（２０ａ，２１
ａ）は、それぞれの次の停止位置（２０ｂ，２１ｂ）から、前記ケーブル巻取りブッシュ（１３）を最後から２番目の角度方向位置から前記最後の角度方向位置へと回転させるのに必要な前記インデクシング角度（Ｃ）に等しいインデクシング角度（Ｃ）で角度方向に離間している、装置（１０）。
〔態様５〕態様４に記載の装置（１０）において、前記第１の複数の停止位置（２０）における停止位置の数が、前記第２の複数の停止位置（２１）における停止位置の数に等しく、かつ、前記ケーブル巻取りブッシュ（１３）の角度方向位置の数から２を引いたものに等しい、装置（１０）。
〔態様６〕態様４または５に記載の装置（１０）において、さらに、
前記ケーブル巻取りブッシュ（１３）の、前記最後の角度方向位置を越えての前記第１の角度方向（Ａ）への回転を防ぐ、第１のエンドストップ（４０）、
を備える、装置（１０）。
〔態様７〕態様４から６のいずれか一態様に記載の装置（１０）において、
前記ケーブル巻取りブッシュ（１３）の、前記第１の角度方向位置を越えての前記第２の角度方向（Ｂ）への回転を防ぐ、第２のエンドストップ（４５）、
を備える、装置（１０）。
〔態様８〕態様６および態様７に記載の装置（１０）において、さらに、
前記ケーブル巻取りブッシュ（１３）を前記第１の角度方向（Ａ）に回転させるように当該ケーブル巻取りブッシュ（１３）に対して動作する操作機構（３０）、
を備え、前記第１のエンドストップ（４０）および前記第２のエンドストップ（４５）が、前記操作機構（３０）に対して作用する、装置（１０）。
〔態様９〕態様１から８のいずれか一態様に記載の装置（１０）において、
操作機構（３０）、を備え、前記操作機構（３０）が、
−前記第１の角度方向（Ａ）に休止位置と動作位置との間で前記回転軸心（Ｘ）回りに角度方向に可動であり且つ前記第２の角度方向（Ｂ）に前記動作位置と前記休止位置との間で前記回転軸心（Ｘ）回りに角度方向に可動である第１の制御レバー（３１）、および
−前記ケーブル巻取りブッシュ（１３）と一体回転する係合ブッシュ（３２）であって、当該係合ブッシュ（３２）に対して前記第１の制御レバー（３１）が作用する、係合ブッシュ（３２）、を含み、
−前記第１の制御レバー（３１）は、前記休止位置から前記動作位置への移行では前記係合ブッシュ（３２）と一体回転し、前記動作位置から前記休止位置への移行では前記係合ブッシュ（３２）に対して自由に回転可能である、装置（１０）。
〔態様１０〕態様６および態様９に記載の装置（１０）において、前記第１のエンドストップ（４０）が、前記係合ブッシュ（３２）の、前記第１の角度方向（Ａ）への回転を防ぐように当該係合ブッシュ（３２）に配置された第１の突部（４１）を含み、当該第１の突部（４１）は、前記ケーブル巻取りブッシュ（１３）が前記最後の角度方向位置にあるときに、前記ケーシング（１１）に固定的に連結されたショルダー部（４２）に干渉する、装置（１０）。
〔態様１１〕態様７および態様９に記載の装置（１０）において、前記第２のエンドストップ（４５）が、前記係合ブッシュ（３２）の、前記第２の角度方向（Ｂ）への回転を防ぐように当該係合ブッシュ（３２）に配置された第２の突部（４６）を含み、当該第２の突部（４６）は、前記ケーブル巻取りブッシュ（１３）が前記第１の角度方向位置にあるときに前記第１の制御レバー（３１）に当接する、装置（１０）。
〔態様１２〕態様４から１１のいずれか一態様に記載の装置（１０）において、前記留めトラック（１９）が、前記第１の及び前記第２の複数の停止位置（２０，２１）における前記複数の停止位置を形成する複数のループ（２２）、ならびに２つの連続するループ（２２）間にそれぞれ延在する複数の自由スライディング経路（２３）を有する、装置（１０）。
〔態様１３〕態様１２に記載の装置（１０）において、前記自由スライディング経路（２３）が、第１の略真直な部位（２４）および当該第１の略真直な部位（２４）をループ（２２）に繋げる径方向に延びる第２の略真直な部位（２５）を含む、装置（１０）。
〔態様１４〕態様１３に記載の装置（１０）において、前記自由スライディング経路（２３）のうちの前記第１の略真直な部位（２４）の広がりが、前記インデクシング角度（Ｃ）に比例する、装置（１０）。
〔態様１５〕態様４から１４のいずれか一態様に記載の装置（１０）において、
径方向に延びており且つ角度方向に１８０°離間している略真直な第１および第２のノド部（１７）を有するボール保持ディスク（１４）、
を備え、前記第１および前記第２のノド部（１７）が、それぞれのポインタ（１５，１６）をスライド可能に収容している、装置（１０）。
〔態様１６〕態様１５に記載の装置（１０）において、前記第１および第２のポインタ（１５，１６）が、前記留めトラック（１９）にスライド可能に係合するように前記ノド部（１７）から軸方向に突出する、装置（１０）。
〔態様１７〕態様４から１６のいずれか一態様に記載の装置（１０）において、前記留めトラック（１９）が前記固定部材（１８）に形成されており、前記可動部材（１４）は、前記ポインタ（１５，１６）がスライド可能に備えられているボール保持ディスクを含む、装置（１０）。